(57)【要約】【課題】前耳部が前側壁の内側に設けられた軒樋の複数個を縦方向に積み重ねるための実用的な軒樋スタック部材及びその軒樋スタック部材を用いた軒樋の積載構造を提供すること。【解決手段】本発明の軒樋スタック部材１０は、前側壁２の傾斜に沿った傾斜壁１３Ａ〜１３Ｅを含んで前耳部５Ａ〜５Ｅを下方から挿嵌して係止する係止凹部１４Ａ〜１４Ｅを、底壁１１Ａから略垂直に立設された立設壁１２に所定間隔を開けて複数個設けて構成されている。軒樋５Ａの各前耳部５Ａ〜５Ｅを各係止凹部１４Ａ〜１４Ｅにそれぞれ挿嵌して各前耳部５Ａ〜５Ｅを保持することにより各軒樋５Ａ〜５Ｅを縦方向に積み重ねて積載することができるので、軒樋を多数梱包する場合の容積を低減させることができる。【選択図】  図１
2005299288.tif 000002
【特許請求の範囲】
【請求項１】
前耳部が前側壁の内側に設けられた軒樋の複数個を縦方向に積み重ねるための軒樋スタ
ック部材であって、
前記前側壁の傾斜に沿った傾斜壁を含んで前記前耳部を下方から挿嵌して係止する係止
凹部を、底壁から略垂直に立設された立設壁に所定間隔を開けて複数個設けたことを特徴
とする軒樋スタック部材。
【請求項２】
前記係止凹部は、前記傾斜壁から内側に向けて水平に延びる水平壁と、該水平壁の先端
から前記前耳部の内側に沿って垂下して延在する垂下部とから構成され、該垂下部の途中
に前記前耳部の内側下端を係止する係止爪を設けることにより、前記係止爪の下端に延在
する余剰の垂下部を取り外し用の舌片としたことを特徴とする請求項１記載の軒樋スタッ
ク部材。
【請求項３】
請求項１又は２記載の軒樋スタック部材を用い、
各前耳部を各係止凹部にそれぞれ挿嵌して各前耳部を保持することにより各軒樋を縦方
向に積み重ねて保持することを特徴とする軒樋の積載構造。
【発明の詳細な説明】
【技術分野】
【０００１】
本発明は、耳部が内側に向かって付いている軒樋を縦方向に積み重ねて積載できる軒樋
スタック部材及び該軒樋スタック部材を用いた軒樋の積載構造に関する。
【背景技術】
【０００２】
軒樋は、断面形状を略同一形状とすることで、重ねて梱包できるように構成されている
ものが多いが、底壁から立設される両側壁が底壁の幅に比べて少し広げた形で立設されて
いる形状では、単純に重ねたのでは側壁が重力又はその他の外力により広がってしまう。
このような側壁の広がりを解消するために、多数の軒樋スタック部材、軒樋の梱包構造が
提案されている。
【０００３】
ここで、前耳部が前側壁の外側に向かって付いている軒樋を縦方向に積み重ねるスタッ
ク部材は既に提案されて実用化されている（例えば、特許文献１参照。）。
【０００４】
しかしながら、前耳部が前側壁の内側に向かって付いている軒樋では、このような積み
重ねて利用できる実用的なスタック部材は提案されていない。例えば、このような前耳部
が前側壁の内側に向かって付いている軒樋の梱包構造としては、各軒樋の何れか一方の側
壁が、他の軒樋の前後の側壁と底壁とに囲まれた空間内に挿入された状態で組み合わされ
て、筒状包装材内に収納され、２枚の蓋体に一面に突設された突起が、各軒樋の何れか一
方の耳縁に両端から挿嵌することにより、複数本の軒樋が固定できる梱包構造が提案され
ている（例えば、特許文献２参照。）。
【０００５】
また、前耳部が前側壁の内側についている軒樋の形状を工夫することで、縦方向に積み
重ねてスタックできる軒樋が提案されている（例えば、特許文献３〜５参照。）。
【特許文献１】特開平１１−１０７４６５号公報（図２）
【特許文献２】特開平７−２５１８８６号公報（図１）
【特許文献３】特開平７−２３３５９９号公報（図１）
【特許文献４】特開平７−２３３６００号公報（図１）
【特許文献５】特開平７−２３３６０１号公報（図１）
【発明の開示】
【発明が解決しようとする課題】
【０００６】
特許文献１に記載の軒樋スタック部材は、前耳部が前側壁の外側に向かって付いている
軒樋を対象とするものであり、前耳部が前側壁の内側に向かってついている軒樋には適用
できない。
【０００７】
また、特許文献２に記載の梱包構造では、互いの向きを変えての梱包であるので、一梱
包で梱包できる軒樋の数は高々４個が限度であるという課題がある。また、このような梱
包構造では、梱包物の容積が大きくなるという課題もある。
【０００８】
また、特許文献３〜５に記載の軒樋では、軒樋の形状が複雑な形状に制限されてしまう
という本質的な課題がある。
【０００９】
そこで、この発明は、前耳部が前側壁の内側に設けられた軒樋の複数個を縦方向に積み
重ねるための実用的な軒樋スタック部材及びその軒樋スタック部材を用いた軒樋の積載構
造を提供することを目的とする。
【課題を解決するための手段】
【００１０】
本発明の軒樋スタック部材は、前側壁の傾斜に沿った傾斜壁を含んで前耳部を下方から
挿嵌して係止する係止凹部を、底壁から略垂直に立設された立設壁に所定間隔を開けて複
数個設けたことを特徴とする。
【００１１】
このような構成の軒樋スタック部材を用いれば、軒樋の各前耳部を各係止凹部にそれぞ
れ挿嵌して各前耳部を保持することにより各軒樋を縦方向に積み重ねて保持することがで
きるので、軒樋を多数梱包する場合の容積を低減させることができる。
【００１２】
また、このように構成すれば、軒樋の前側壁は、軒樋スタック部材により保護されるの
で、軒樋の化粧面が傷つけられることが防止できる。
【００１３】
ここで、この係止凹部は、傾斜壁から内側に向けて水平に延びる水平壁と、水平壁の先
端から前耳部の内側に沿って垂下して延在する垂下部とから構成され、垂下部の途中に前
耳部の内側下端を係止する係止爪を設けることにより、係止爪の下端に延在する余剰の垂
下部を取り外し用の舌片とすることが好ましい。
【００１４】
これにより、軒樋を軒樋スタック部材から取り外す場合には、最上部に位置する軒樋か
ら順番にこの舌片を利用して係合を解除しつつ取り外すことができる。これにより、取り
外し作業工数を軽減できる。
【発明の効果】
【００１５】
以上説明のとおり、本発明によれば、前耳部が前側壁の内側に設けられた軒樋の複数個
を縦方向に積み重ねるための実用的な軒樋スタック部材及びその軒樋スタック部材を用い
た軒樋の積載構造を提供することができる。
【発明を実施するための最良の形態】
【００１６】
以下に本発明の軒樋スタック部材及びその軒樋スタック部材を用いた軒樋の積載構造を
実施するための最良の形態について図面を参照しつつ詳細に説明する。
【００１７】
図７に示すように、この発明で積載に供される軒樋１は、前側壁２及び後側壁３の両側
壁２，３が底壁４の幅に比べて少し広げた形で立設されている。また、この前耳部５は前
側壁２の内側に設けられ、後耳部６は後側壁３の外側に設けられている。
【００１８】
また、この実施例の軒樋１では、前耳部５の内側壁５ａは前側壁２と略平行である。こ
のような軒樋１は本発明の軒樋スタック部材により複数個が縦方向に積層して積載される
。ここで、説明の便宜のために、図３又は図４に示すように、積載される軒樋１を下方か
ら上に向けて符号Ａ〜Ｅを付して説明する。
【００１９】
先ず、この発明の軒樋の積載構造は、図３に示すように、前側スタック部材１０と後側
スタック部材２０とにより複数の軒樋Ａ〜Ｅが挟持されて係止されている。以下、図１及
び図３を用いて前側スタック部材１０の構成及び作用について説明し、図２及び図３を用
いて後側スタック部材２０の構成及び作用について説明する。
【００２０】
先ず、この前側壁２を係止する前側スタック部材１０について説明する。
【００２１】
本発明の前側スタック部材１０は、図１に示すように、前側壁２Ａ〜２Ｅの傾斜に沿っ
た傾斜壁１３Ａ〜１３Ｆ有している。この傾斜壁１３Ｂ〜１３Ｆの内側には、前耳部５Ａ
〜５Ｂを下方から挿嵌して係止する複数の係止凹部１４Ａ〜１４Ｅが設けられている。こ
れにより、底壁１１Ａから略垂直に立設された立設壁１２に所定間隔を開けて前耳部５を
係止する複数の係止凹部１４Ａ〜１４Ｅが構成されている。
【００２２】
ここで、この実施例では、水平に位置される底壁（水平壁）１１Ａの一端１１Ａａから
略垂直に立設されて立設壁１２が形成され、底壁１１Ａの先端１１Ａｂから傾斜壁１３Ａ
が立設壁１２に向けて設けられている。これにより底壁１１Ａと立設壁１２と傾斜壁１３
Ａとで、符号１１Ｂａを頂点とする断面三角形が得られ、この傾斜壁１３Ａの長さは前側
壁２Ａと略等しく設計されている。
【００２３】
この頂点１１Ｂａ付近からは水平に前耳部５の上壁５ｂの長さと略等しい水平壁１１Ｂ
が内側に張り出され、この水平壁１１Ｂの先端１１Ｂｂから軒樋Ｂの前側壁２Ｂの傾斜に
沿った傾斜壁１３Ｂが上下方向に傾斜して延設されている。
【００２４】
下方向に延びる傾斜壁１３Ｂａは、上方向に延びる傾斜壁１３Ｂｂに比べて厚みが薄く
形成されている。これにより、傾斜壁１３Ｂａ、水平壁１１Ｂ及び傾斜壁１３Ａとで軒樋
Ａの前耳部５Ａを挿嵌する係止凹部１４Ａが形成されている。
【００２５】
また、この実施例では、傾斜壁１３Ｂａの先端に係止凹部１４Ａに前耳部５Ａを嵌合さ
せた状態で前耳部５Ａの下端を係止する係止爪１５Ａが突設されている。これにより、前
耳部５Ａを係止凹部１４Ａに挿嵌する際には、傾斜壁１３Ｂａが弾性的に押し広げられ係
止凹部１４Ａに前耳部５Ａを挿嵌した状態で係止爪１５Ａの作用により前側スタック部材
１０と軒樋Ａが着脱自在に固定される。
【００２６】
次に、この水平壁水平壁１１Ｂの一端１１Ｂａから略垂直に立設されて立設壁１２が形
成され、水平壁１１Ｂの先端１１Ｂｂから傾斜壁１３Ｂが立設壁１２に向けて設けられて
いる。これにより水平壁１１Ｂと立設壁１２と傾斜壁１３Ｂとで、符号１１Ｃａを頂点と
する断面三角形が得られている。
【００２７】
この頂点１１Ｃａ付近からは水平に前耳部５の上壁５ｂの長さと略等しい水平壁１１Ｃ
が内側に張り出され、この水平壁１１Ｃの先端１１Ｃｂから軒樋Ｂの前側壁２Ｂの傾斜に
沿った傾斜壁１３Ｃが上下方向に傾斜して延設されている。
【００２８】
下方向に延びる傾斜壁１３Ｃａは、上方向に延びる傾斜壁１３Ｃｂに比べて厚みが薄く
形成され、この長さは傾斜壁１３Ｂａと略等しい。また、この傾斜壁１３Ｃａの先端には
係止爪１５Ｂが突設されている。これにより、傾斜壁１３Ｃａ、水平壁１１Ｃ及び傾斜壁
１３Ｂとで軒樋Ｂの前耳部５Ｂを挿嵌する係止凹部１４Ｂが形成され、前耳部５Ｂを係止
凹部１４Ｂに挿嵌する際には、傾斜壁１３Ｃａが弾性的に押し広げられて係止凹部１４Ｂ
に前耳部５Ｂが挿嵌された状態で係止爪１５Ｂの作用により前側スタック部材１０と軒樋
Ｂが着脱自在に固定される。
【００２９】
同様に、各傾斜壁１３Ｂ〜１３Ｅの長さが略等しく、かつ、各傾斜壁１３Ａ−１３Ｂａ
間、１３Ｂ−１３Ｃａ間、１３Ｃ−１３Ｄａ間、１３Ｄ−１３Ｅａ間、１３Ｅ−１３Ｆａ
間の間隔が等しくなるようにそれぞれ、傾斜壁１３Ｂ〜１３Ｆａを設けることにより、そ
れぞれ前耳部５Ａ〜５Ｅを挿嵌して係止可能な係止凹部１４Ａ〜１４Ｅを設ける。
【００３０】
また、本発明の実施例では、この前側スタック部材１０に加えて、図２に示すような後
側スタック部材２０が用いられている。この後側スタック部材２０では、略水平に配置さ
れる底壁２１から垂直に立設される立設壁２２を備えている。
【００３１】
この立設壁２２の前面には、各後側壁３Ａ〜３Ｅの傾斜に沿った傾斜壁２３Ａ〜２３Ｅ
を有し、各傾斜壁２３Ａ〜２３Ｅの上方に係止凹部２４Ａ〜２４Ｅが設けられている。こ
の係止凹部２４Ａ〜２４Ｅは、軒樋１の後側壁３から突出して設けられた後耳部６Ａ〜６
Ｅにそれぞれ係合するものである。
【００３２】
次にこの実施例の係止凹部２４Ａ〜２４Ｅについて説明する。
【００３３】
各傾斜壁２３Ａ〜２３Ｅの上端から立設壁２２まで後退して水平壁２５Ａ〜２５Ｅが設
けられている。後耳部６の下壁６ａに略等しく後退した位置の各水平壁２５Ａ〜２５Ｅか
ら立ち上がって後耳部６の外側壁６ｂの寸法に略等しく立設壁２６Ａ〜２６Ｅが設けられ
ている。この立設壁２６Ａ〜２６Ｅの上端から上段の各傾斜壁２５Ｂ〜２５Ｆに向けて上
壁２７Ａ〜２７Ｅが設けられている。この上壁２７Ａ〜２７Ｂの寸法は、後耳部６の上壁
６ｃの寸法に略等しく設計されている。これにより、水平壁２５Ａ〜２５Ｅ、立上り壁２
６Ａ〜２６Ｅ，上壁２７Ａ〜２７Ｅとで後耳部６Ａ〜６Ｅにそれぞれ係合可能な係合凹部
２４Ａ〜２４Ｅが形成されている。
【００３４】
次にこのような前側スタック部材１０及び後側スタック部材２０を用いた軒樋Ａ〜Ｅの
積載方法について説明する。
【００３５】
例えば、前側スタック部材１０を各係止凹部１４Ａ〜１４Ｅが上向きとなるように横た
える。ついで、各係止凹部１４Ｅ〜１４Ａに順次前耳部５Ｅ〜５Ａを挿嵌させることによ
り、図３に示すように、各軒樋Ａ〜Ｅの前耳部５Ａ〜５Ｅを各係止凹部１４Ａ〜１４Ｅに
係止させることができる。
【００３６】
ついで、後側スタック部材２０を各係合凹部２４Ａ〜２４Ｅにそれぞれ後耳部６Ａ〜６
Ｅを係合すれば、図３又は図４に示す積載構造を得ることができる。
【００３７】
このような構成の軒樋スタック部材を用いて、軒樋の各前耳部を各係止凹部にそれぞれ
挿嵌して各前耳部を保持することにより各軒樋を縦方向に積み重ねて保持することができ
るので、軒樋を多数梱包する場合の容積を低減させることができる。
［変形例１］
前側スタック部材１０を軒樋１の長手方向と同一乃至はそれ以上の長さとすることによ
り、軒樋１の前側壁２は、軒樋スタック部材１０により全て保護されるので、軒樋の化粧
面が傷つけられることが防止できる。
［変形例２］
図５及び図６は変形例に係る軒樋スタック部材及びそれを用いた軒樋の積載構造を説明
する図である。図１に示す軒樋スタック部材と同一乃至は均等な部位部材は同一番号を付
して詳細な説明は省略する。
【００３８】
この図５に示す軒樋スタック部材１０では、図１に示す軒樋スタック部材１０の係止爪
１５から係合解除を小さな力で行えるような解除舌片１６が傾斜壁１３ａから延設されて
いる。
【００３９】
これにより、係合を解除する際には、この解除舌片１６の先端を鎖線で示す方向に力を
作用させることにより傾斜壁１３ａを弾性的に変形させて係止爪１５の係合を解除させる
。
【００４０】
これにより、小さな力で傾斜壁１３ａを変形させることができるので、係止爪１５に係
止されている係合を容易に解除するとができる。
【００４１】
その他の構成及び作用は図１に示す軒樋スタック部材１０と同一乃至は均等であるので
詳細な説明は省略する。
【００４２】
以上、本発明の実施の形態を実施例に基づいて説明したが、本発明は上記実施例に限定
されるものではなく、本発明の要旨を逸脱しない範囲の設計変更等があっても本発明に含
まれる。
【００４３】
例えば、以上の実施例では、軒樋スタック部材は、短いものを軒樋の長手方向に３つに
分けて固定していたが、軒樋の長さ方向の全体に設置しても、二つ又は３つ以上に分割し
て設置しても、さらには、実施例のように短いものを複数個設置してもよい。
【００４４】
また、この実施例の軒樋は前耳部５の内側壁５ａは前側壁２と略平行であったので、前
側スタック部材１０の形状が簡略化されていたが、本発明では、前耳部が係止凹部に嵌合
すればよいので、この形状は限定されない。係止凹部は、前耳部の外形状に応じて適宜変
形させてもよい。
【図面の簡単な説明】
【００４５】
【図１】本発明の実施例に係る前側スタック部材を説明する斜視図である。
【図２】本発明の実施例に係る後側スタック部材を説明する斜視図である。
【図３】本発明の実施例に係るスタック部材を用いた軒樋の積載構造を説明する右側面図である。
【図４】本発明の実施例に係るスタック部材を用いた軒樋の積載構造を説明する側面図である。
【図５】本発明の変形例に係るスタック部材を説明する右側面図である。
【図６】本発明の変形例に係るスタック部材を用いた軒樋の積載構造を説明する側面図である。
【図７】軒樋を説明する部分斜視図である。
【符号の説明】
【００４６】
１：軒樋
２：前側壁
３：後側壁
４：底壁
５：前耳部
５ａ：内側壁
６：後耳部
１０：前側スタック部材（軒樋スタック部材）
１１（１１Ａ〜１１Ｅ）：底壁（水平壁）
１２：立設壁
１３（１３Ａ〜１３Ｅ）：傾斜壁
１４（１４Ａ〜１４Ｅ）：係止凹部
２０：後側スタック部材
【図１】
2005299288.tif 000003
【図２】
2005299288.tif 000004
【図３】
2005299288.tif 000005
【図４】
2005299288.tif 000006
【図５】
2005299288.tif 000007
【図６】
2005299288.tif 000008
【図７】
2005299288.tif 000009